(57)【要約】      （修正有）【課題】受注入力時に、取引実績のあるデータを使用して、受注入力の入力速度及び入力精度を向上させることが可能な受注入力装置、受注入力方法、及び受注入力プログラムを提供する。【解決手段】受注入力装置１００は、制御部１０２と記憶部１０６を備える。記憶部１０６は、得意先及び／又は納入先毎に、所定期間内に出荷した商品のデータを集計したルートマスタ１０６ａを格納する。制御部１０２は、表示部に表示される入力画面において、オペレータの操作に応じて、得意先及び／又は納入先が入力された場合に、当該入力された得意先及び／又は納入先をキーとして、ルートマスタ１０６ａから商品を取得して、商品の候補として表示し、候補のうち、オペレータが選択した商品を入力する受注入力手段を備える。【選択図】図１
2020057077.tif 000002
【特許請求の範囲】
【請求項１】
制御部及び記憶部を備えた受注入力装置において、
前記記憶部には、
得意先及び／又は納入先毎に、所定期間内に出荷した商品のデータを集計したルートマスタが格納されており、
前記制御部は、
表示部に表示される入力画面において、オペレータの操作に応じて、得意先及び／又は納入先が入力された場合に、当該入力された得意先及び／又は納入先をキーとして、前記ルートマスタから商品を取得して、商品の候補として表示し、候補のうち、オペレータが選択した商品を入力する受注入力手段を備えたことを特徴とする受注入力装置。
【請求項２】
前記ルートマスタには、得意先及び／又は納入先毎に、さらに、前記所定期間内に出荷した商品の受発注又は倉出受注の区分を示す受注区分のデータが格納されており、
前記受注入力手段は、前記表示部に表示される入力画面において、オペレータの操作に応じて、得意先及び／又は納入先が入力された場合に、当該入力された得意先及び／又は納入先をキーとして、前記ルートマスタから商品と共に受注区分を取得して、商品及び受注区分の候補として表示し、候補のうち、オペレータが選択した商品及び受注区分を入力することを特徴とする請求項１に記載の受注入力装置。
【請求項３】
制御部及び記憶部を備えた情報処理装置に実行させるための受注入力方法であって、
前記記憶部には、
得意先及び／又は納入先毎に、所定期間内に出荷した商品のデータを集計したルートマスタが格納されており、
前記制御部において実行される、
表示部に表示される入力画面において、オペレータの操作に応じて、得意先及び／又は納入先が入力された場合に、当該入力された得意先及び／又は納入先をキーとして、前記ルートマスタから商品を取得して、商品の候補として表示し、候補のうち、オペレータが選択した商品を入力する受注入力工程を含むことを特徴とする受注入力方法。
【請求項４】
制御部及び記憶部を備えた情報処理装置に実行させるための受注入力プログラムであって、
前記記憶部には、
得意先及び／又は納入先毎に、所定期間内に出荷した商品のデータを集計したルートマスタが格納されており、
前記制御部において、
表示部に表示される入力画面において、オペレータの操作に応じて、得意先及び／又は納入先が入力された場合に、当該入力された得意先及び／又は納入先をキーとして、前記ルートマスタから商品を取得して、商品の候補として表示し、候補のうち、オペレータが選択した商品を入力する受注入力工程を実行させるための受注入力プログラム。
【発明の詳細な説明】
【技術分野】
【０００１】
本発明は、受注入力装置、受注入力方法、及び受注入力プログラムに関する。
【背景技術】
【０００２】
従来、商品名の入力を低減するシステムとして、例えば、特許文献１がある。かかる特許文献１のシステムでは、ユーザが入力した所定数の文字に基づいて、商品情報管理ＤＢから当該文字を一部に含む商品及び商品カテゴリを特定し、当該特定された商品等に対応する商品情報に基づいて、入力候補一覧を供給するとともに、当該一覧からユーザが選択した商品の商品情報に基づいてメモを作成する構成を有している。
【先行技術文献】
【特許文献】
【０００３】
【特許文献１】特開２０１５−１６２１８１号公報
【発明の概要】
【発明が解決しようとする課題】
【０００４】
しかしながら、特許文献１では、受注入力時に、取引実績のあるデータを使用して、受注入力の入力速度及び入力精度を向上させることに関して何等記載されていない。
【０００５】
本発明は、上記に鑑みてなされたものであり、受注入力時に、取引実績のあるデータを使用して、受注入力の入力速度及び入力精度を向上させることが可能な受注入力装置、受注入力方法、及び受注入力プログラムを提供することを目的とする。
【課題を解決するための手段】
【０００６】
上述した課題を解決し、目的を達成するために、本発明は、制御部及び記憶部を備えた受注入力装置において、前記記憶部には、得意先及び／又は納入先毎に、所定期間内に出荷した商品のデータを集計したルートマスタが格納されており、前記制御部は、表示部に表示される入力画面において、オペレータの操作に応じて、得意先及び／又は納入先が入力された場合に、当該入力された得意先及び／又は納入先をキーとして、前記ルートマスタから商品を取得して、商品の候補として表示し、候補のうち、オペレータが選択した商品を入力する受注入力手段を備えたことを特徴とする。
【０００７】
また、本発明の好ましい態様によれば、前記ルートマスタには、得意先及び／又は納入先毎に、さらに、前記所定期間内に出荷した商品の受発注又は倉出受注の区分を示す受注区分のデータが格納されており、前記受注入力手段は、表示部に表示される入力画面において、オペレータの操作に応じて、得意先及び／又は納入先が入力された場合に、当該入力された得意先及び／又は納入先をキーとして、前記ルートマスタから商品と共に受注区分を取得して、商品及び受注区分の候補として表示し、候補のうち、オペレータが選択した商品及び受注区分を入力することにしてもよい。
【０００８】
また、上述した課題を解決し、目的を達成するために、本発明は、制御部及び記憶部を備えた情報処理装置に実行させるための受注入力方法であって、前記記憶部には、得意先及び／又は納入先毎に、所定期間内に出荷した商品のデータを集計したルートマスタが格納されており、前記制御部において実行される、表示部に表示される入力画面において、オペレータの操作に応じて、得意先及び／又は納入先が入力された場合に、当該入力された得意先及び／又は納入先をキーとして、前記ルートマスタから商品を取得して、商品の候補として表示し、候補のうち、オペレータが選択した商品を入力する受注入力工程を含むことを特徴とする。
【０００９】
また、上述した課題を解決し、目的を達成するために、本発明は、制御部及び記憶部を備えた情報処理装置に実行させるための受注入力プログラムであって、前記記憶部には、
得意先及び／又は納入先毎に、所定期間内に出荷した商品のデータを集計したルートマスタが格納されており、前記制御部において、表示部に表示される入力画面において、オペレータの操作に応じて、得意先及び／又は納入先が入力された場合に、当該入力された得意先及び／又は納入先をキーとして、前記ルートマスタから商品を取得して、商品の候補として表示し、候補のうち、オペレータが選択した商品を入力する受注入力工程を実行させるための受注入力プログラムであることを特徴とする。
【発明の効果】
【００１０】
本発明によれば、受注入力時に、取引実績のあるデータを使用して、受注入力の入力速度及び入力精度を向上させることが可能となるという効果を奏する。
【図面の簡単な説明】
【００１１】
【図１】図１は、本実施の形態に係る受注入力装置の一例を示すブロック図である。
【図２】図２は、マスタとデータの構成例及びその関連を示す図である。
【図３】図３は、出荷実績集計処理を説明するためのサンプルデータを示す図である。
【図４】図４は、受注入力画面の一例を説明するための図である。
【図５】図５は、ルート検索画面の一例を説明するための図である。
【図６】図６は、受注入力画面の一例を説明するための図である。
【発明を実施するための形態】
【００１２】
本発明の実施形態を図面に基づいて詳細に説明する。なお、本発明は本実施形態により限定されるものではない。
【００１３】
［１．概要］
例えば、同じような商品を数多く扱っている会社等において、得意先・納入先によってよく使う商品がある程度決まっているような場合に、例えば、ＦＡＸ等で受注連絡を受けたのち、オペレータが受注入力すると入力ミスが発生することが多い。
【００１４】
従来は、例えば、商品コード等のキーとなる項目をオペレータが指定する必要があり、顧客からあいまいな名称で受注連絡が来た際に、入力ミスが多発していた。また、何度も同じ注文がきた場合でも、得意先、納入先、二次納入先、商品、受注区分、倉庫と一つ一つ入力する必要があり、入力する手間もかかっていた。
【００１５】
そこで、本実施の形態では、マスタで定められた期間の出荷実績に基づいて、商流と、商品・受注区分・出荷倉庫を紐付けるマスタへ自動登録する。オペレータは、受注入力時に得意先・納入先・二次納入先毎に設定されている、実績のある商品・受注区分（直送・倉出など）・出荷倉庫を１つのマスタ検索から選択することができ、入力速度の向上と入力精度の向上が可能となる。
【００１６】
［２．構成］
本実施形態に係る受注入力装置の構成の一例について、図面を参照して説明する。
【００１７】
図１は、本実施の形態に係る受注入力装置の一例を示すブロック図である。受注入力装置１００は、市販のデスクトップ型パーソナルコンピュータである。なお、受注入力装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。  
【００１８】
受注入力装置１００は、制御部１０２と通信インターフェース部１０４と記憶部１０６と入出力インターフェース部１０８と、を備えている。受注入力装置１００が備えている各部は、任意の通信路を介して通信可能に接続されている。  
【００１９】
通信インターフェース部１０４は、ルータ等の通信装置および専用線等の有線又は無線の通信回線を介して、受注入力装置１００をネットワーク３００に通信可能に接続する。通信インターフェース部１０４は、他の装置と通信回線を介してデータを通信する機能を有する。ここで、ネットワーク３００は、受注入力装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。これにより、通信インターフェース部１０４は、ネットワーク３００を介して、サーバ２００とデータ通信可能に構成されている。
【００２０】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウス、およびマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。  
【００２１】
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。また、この記憶部１０６は、ルートマスタ１０６ａと、出荷情報集計マスタ１０６ｂと、その他のマスタ１０６ｃと、データファイル１０６ｄとを備えている。図２は、マスタとデータの構成例及びその関連を示す図である。
【００２２】
データファイル１０６ｄは、受注ヘッダデータ、受注明細データ、発注ヘッダデータ、出荷明細データ等を格納するためのものである。
【００２３】
受注ヘッダデータは、図２に示すように、受注番号、得意先コード、納入先コード、二次納入先コードを含んでいてもよい。受注明細データは、図２に示すように、受注番号、受注行番号、受注区分、倉庫コード、商品コードを含んでいてもよい。
【００２４】
発注ヘッダデータは、図２に示すように、発注番号、仕入先コードを含んでいてもよい。出荷明細データは、図２に示すように、受注番号、受注行番号、出荷日、商品コード、発注番号、スポット出荷フラグ（「１」：スポット出荷、「０」：スポット出荷でない）を含んでいる。スポット出荷フラグが「１」の場合は、出荷実績集計で集計の対象としない。スポット出荷フラグの指定は、受注入力画面で行うことができる。
【００２５】
出荷情報集計マスタ１０６ｂは、出荷実績集計処理を行う場合に参照される。出荷情報集計マスタ１０６ｂは、図２に示すように、集計月数、集荷日付のデータを関連づけて登録するテーブル等で構成することができる。
【００２６】
ルートマスタ１０６ａは、出荷実績集計処理の結果が登録され、受注入力画面において、商品等を入力する場合に参照するためのマスタである。ルートマスタ１０６ａは、図２に示すように、ルート番号、得意先コード、納入先コード、二次納入先コード、受注区分、倉庫コード、商品コード、仕入先コードを含んでいる。
【００２７】
その他のマスタ１０６ｃは、画面表示の際に参照されるマスタであり、商品コードと商品名、得意先コードと得意先名、納入先コードと納入先名、２次納入先コードと２次納入先名、倉庫コードと倉庫名、仕入先コードと仕入先名等のコードと名称のデータを関連づけて登録したテーブル等で構成することができる。その他のマスタ１０６ｃは、入力画面等でコードが入力された場合に対応する名称が読み出されて表示される。
【００２８】
制御部１０２は、受注入力装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。ここで、制御部１０２は、機能概念的に、画面制御部１０２ａと、受注入力処理部１０２ｂと、発注処理部１０２ｃと、出荷処理部１０２ｄと、出荷実績集計処理部１０２ｅと、マスタメンテ部１０２ｆを備えている。
【００２９】
画面制御部１０２ａは、モニタ１１４に表示する各種画面（例えば、受注入力画面、ルート検索画面等）の表示及びその入力を制御する。
【００３０】
受注入力処理部１０２ｂは、モニタ１１４に表示される入力画面において、オペレータの操作に応じて、得意先及び／又は納入先が入力された場合に、当該入力された得意先及び／又は納入先をキーとして、ルートマスタ１０６ａから商品を取得して、商品の候補として表示し、候補のうち、オペレータが選択した商品を入力する。
【００３１】
また、受注入力処理部１０２ｂは、モニタ１１４に表示される入力画面において、オペレータの操作に応じて、得意先及び／又は納入先が入力された場合に、当該入力された得意先及び／又は納入先をキーとして、ルートマスタ１０６ａから商品と共に受注区分を取得して、商品及び受注区分の候補として表示し、候補のうち、オペレータが選択した商品及び受注区分を入力してもよい。
【００３２】
受注入力処理部１０２ｂは、受注入力した場合に、受注ヘッダデータ及び受注明細データを更新する。
【００３３】
発注処理部１０２ｃは、発注処理を行った場合に、発注ヘッダデータを更新する。出荷処理部１０２ｄは、出荷処理を行った場合に、出荷明細データを更新する。
【００３４】
出荷実績集計処理部１０２ｅは、出荷実績集計処理を実行して、出荷情報集計マスタ１０６ｂの集計月数及び集計日付に従って、出荷明細データ、受注ヘッダデータ、受注明細データ、発注ヘッダデータを集計して、ルートマスタ１０６ａに集計したデータを格納する。
【００３５】
マスタメンテ部１０２ｆは、モニタ１１４に表示される不図示のマスタメンテ画面上でのオペレータの操作に応じて、ルートマスタ１０６ａ、出荷情報集計マスタ１０６ｂ、その他のマスタ１０６ｃに対して、データの入力・追加・削除・変更等の編集（設定）を行うためのものである。
【００３６】
［３．具体例］
本実施の形態に係る受注入力装置１００の制御部１０２の処理の具体例について、図１〜図６を参照して説明する。図３は、出荷実績集計処理を説明するためのサンプルデータを示す図である。図４〜図６は、受注入力画面及びルート検索画面の一例を説明するための図である。
【００３７】
（１．出荷実績集計処理）
図３を参照して、出荷実績集計処理を説明する。出荷実績集計処理は、出荷情報集計マスタ１０６ｂで設定されている「集計月数」の期間について、設定されている「集計日付」に従い毎月自動実行する。例えば、集計月数「３」の場合は、３ヶ月間の実績を保持する。また、集計日付「３１」の場合は、毎月月末に実施する。出荷実績集計画面にて任意のタイミングで実施可能としてもよい。また、集計結果を更新する際は、既に存在しているマスタをクリアして新規登録を行う。
【００３８】
よく使う商品ではなく、スポットで出荷するような商品があった場合は、受注入力画面でスポット出荷フラグを立てることにより、集計対象外とする。
【００３９】
「集計月数」として設定された値が１以上の整数でなかった場合は出荷実績集計処理実施時にエラーとする。例えば、エラーとしては、「あ」などの文字列、０、１．５などの値である。「集計日付」に設定された値が１〜３１の整数でなかった場合は、自動実行は行われず、手動実行時にエラーとする。例えば、エラーとして、０、１．５、３２などの値である。「１」と設定した場合は毎月１日に実施する。例えば、２０１８／４／１、２０１８／５／１などである。指定した日がない月の場合は、最大の日に実施する。例えば、３１と設定した場合の２０１８年２月の実施日は２０１８／２／２８である。
【００４０】
出荷実績集計処理は、出荷明細データに基づいて、受注ヘッダデータ、受注明細データ、発注ヘッダデータを参照して、出荷実績の集計を実施して、ルートマスタ１０６ａの得意先コード、納入先コード、二次納入先コード、受注区分、倉庫コード、商品コード、仕入先コードのデータを更新する。具体的には、出荷明細データの受注番号をキーとして、受注ヘッダデータから得意先コード、納入先コード、二次納入先コード、受注明細データから受注区分、倉庫コードを取得する。また、出荷明細データの発注番号をキーとして、発注ヘッダデータから仕入先コードを取得する。
【００４１】
得意先コード、納入先コード、二次納入先コード毎で集計し、集計条件に合致するものの中で最も件数の多い受注区分、多い倉庫コード、仕入先コードを採用する。図３に示す例は、基準日が２０１８／３／３０、集計月数＝３ヶ月、出荷明細データの集計範囲が２０１７／１２／３１〜２０１８／３０となっている。例えば、受注番号「Ｊ００４」，受注行番号「１」と、受注番号「Ｊ００５」，受注行番号「１」と、受注番号「Ｊ００６」，受注行番号「３」は、得意先コード「Ｂ０１」、納入先コード「Ｂ０１」、二次納入先コード「Ｂ０１」、商品コード「Ｃ」が同じで、受注区分「倉出」、受注区分「受発注」、受注区分「倉出」となっているで、ルートマスタ１０６ａの４行目に示すように、最も件数の多い受注区分である「倉出」を採用する。
【００４２】
（２．受注入力）
図４は、受注入力画面のイメージの一例を示す図である。図４に示す受注入力画面４００には、ルート検索ボタン４０１と、スポット出荷を指定するためのチェックボックス４０２と、得意先、納入先、２次納入先、行番号、受注区分、商品、仕入先、数量の入力欄が表示されている。ルート検索ボタン４０１は、集荷実績を集計したルートマスタ１０６ａのルート検索画面を起動するためのボタンである。スポット出荷は、チェックボックス４０２をＯＮにすることで、出荷明細データのスポット出荷フラグを「１」として、出荷実績集計には含まないデータとして登録することが可能となっている。
【００４３】
ルート検索ボタン４０１が押されると、図５に示すようなルート検索画面５００が表示される。ルート検索画面５００では、納入先、２次納入先、得意先、倉庫、仕入先、商品、基準日の検索条件入力エリアと、検索結果表示エリア５０１を備えている。検索結果表示エリア５０１には、納入先、２次納入先、得意先、倉庫、仕入先、商品、受注区分の項目が表示される。検索条件入力エリアで入力された検索条件に基づいて、ルートマスタ１０６ａから検索して、検索結果が検索結果表示エリア５０１に表示される。オペレータの操作に応じて、検索結果表示エリア５０１の行が選択されると、選択されたデータが、受注入力画面４００の「得意先」、「納入先」、「２次納入先」、「受注区分」、受注区分が「受発注」の場合は仕入先、受注区分が「倉出受注」の場合は倉庫が設定される。
【００４４】
図５に示す例では、納入先「Ａ１」、得意先「Ａ１」、基準日「２０１８／３／３０」が検索条件として指定されて、図３に示すルートマスタ１０６ａから検索された場合を示している。検索結果表示エリア５０１には、１行目に、納入先「Ａ０１」、２次納入先「Ａ０１」、得意先「Ａ０１」、仕入先「Ｚ０１」、商品「Ａ」、受注区分「受発注」、２行目に、納入先「Ａ０１」、２次納入先「Ａ０２」、得意先「Ａ０１」、倉庫「１００」、商品「Ｂ」、受注区分「倉出受注」、３行目に、納入先「Ａ０１」、２次納入先「Ａ０２」、得意先「Ａ０１」、倉庫「１００」、商品「Ｃ」、受注区分「倉出受注」が表示されている。
【００４５】
例えば、オペレータが２行目を選択すると、図６に示すように、受注入力画面４００には、得意先「Ａ０１」、納入先「Ａ０１」、２次納入先「Ａ０２」、受注区分「倉出受注」、商品「Ｂ」、倉庫「１００」が設定される。
【００４６】
また、ルート検索画面５００では、商品をオペレータが入力可能となっている。同一得意先・納入先・二次納入先でルートマスタ１０６ａに登録のない商品を入力した場合は、警告「ルートマスタに設定のない商品です。入力を続行しますか？」を表示して、「はい」が選択された場合は続行し、「いいえ」が選択された場合は処理を終了してもよい。
【００４７】
以上説明したように、本実施の形態によれば、得意先及び／又は納入先毎に、所定期間内に出荷した商品のデータを集計したルートマスタ１０６ａと、入力画面において、オペレータの操作に応じて、得意先及び／又は納入先が入力された場合に、当該入力された得意先及び／又は納入先をキーとして、ルートマスタから商品を取得して、商品の候補として表示し、候補のうち、オペレータが選択した商品を入力する受注入力処理部１０２ｂを備えているので、受注入力時に、対象の得意先及び／又は納入先で取引実績のある商品を選択候補として表示することができ、受注入力の入力速度及び入力精度を向上させることが可能となる。
【００４８】
ルートマスタ１０６ａには、得意先及び／又は納入先毎に、さらに、所定期間内に出荷した商品の受発注又は倉出受注の区分を示す受注区分のデータが格納されており、受注入力処理部１０２ｂは、入力画面において、オペレータの操作に応じて、得意先及び／又は納入先が入力された場合に、当該入力された得意先及び／又は納入先をキーとして、ルートマスタ１０６ａから商品と共に受注区分を取得して、商品及び受注区分の候補として表示し、候補のうち、オペレータが選択した商品及び受注区分を入力することとしたので、商品だけでなく受注区分についても入力が容易となる。
【００４９】
［４．他の実施形態］
本発明は、上述した実施形態以外にも、特許請求の範囲に記載した技術的思想の範囲内において種々の異なる実施形態にて実施されてよいものである。  
【００５０】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。  
【００５１】
また、本明細書中や図面中で示した処理手順、制御手順、具体的名称、各処理の登録データや検索条件等のパラメータを含む情報、画面例、データベース構成については、特記する場合を除いて任意に変更することができる。  
【００５２】
また、受注入力装置１００に関して、図示の各構成要素は機能概念的なものであり、必ずしも物理的に図示の如く構成されていることを要しない。  
【００５３】
例えば、受注入力装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて受注入力装置１００に機械的に読み取られる。すなわち、ＲＯＭまたはＨＤＤ（Ｈａｒｄ  Ｄｉｓｋ  Ｄｒｉｖｅ）などの記憶部１０６などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部１０２を構成する。  
【００５４】
また、このコンピュータプログラムは、受注入力装置１００に対して任意のネットワークを介して接続されたアプリケーションプログラムサーバに記憶されていてもよく、必要に応じてその全部または一部をダウンロードすることも可能である。  
【００５５】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。  
【００５６】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。  
【００５７】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。  
【００５８】
また、受注入力装置１００は、既知のパーソナルコンピュータまたはワークステーション等の情報処理装置として構成してもよく、また、任意の周辺装置が接続された当該情報処理装置として構成してもよい。また、受注入力装置１００は、当該情報処理装置に本実施形態で説明した処理を実現させるソフトウェア（プログラムまたはデータ等を含む）を実装することにより実現してもよい。  
【００５９】
更に、装置の分散・統合の具体的形態は図示するものに限られず、その全部または一部を、各種の付加等に応じてまたは機能付加に応じて、任意の単位で機能的または物理的に分散・統合して構成することができる。すなわち、上述した実施形態を任意に組み合わせて実施してもよく、実施形態を選択的に実施してもよい。  
【符号の説明】
【００６０】
１００  受注入力装置
１０２  制御部
１０２ａ  画面制御部
１０２ｂ  受注入力処理部
１０２ｃ  発注処理部
１０２ｄ、出荷処理部
１０２ｅ  出荷実績集計処理部
１０２ｆ  マスタメンテ部
１０４  通信インターフェース部
１０６  記憶部
１０６ａ  ルートマスタ
１０６ｂ  出荷情報集計マスタ
１０６ｃ  その他のマスタ
１０６ｄ  データファイル
１０８  入出力インターフェース部
１１２  入力装置
１１４  出力装置
３００  ネットワーク
【図１】
2020057077.tif 000003
【図２】
2020057077.tif 000004
【図３】
2020057077.tif 000005
【図４】
2020057077.tif 000006
【図５】
2020057077.tif 000007
【図６】
2020057077.tif 000008